(57)【特許請求の範囲】
【請求項１】
山部と谷部とを交互に連続形成した折版で葺かれた屋根の軒先辺り裏面がわに、軒樋が、その溝断面の半分には及ばない範囲で片方の耳部がわを当該軒先の前方に突き出した状態で配設された上、同折版の所望数毎の山部であって、平面配置状においてそれら山部が同軒樋に交差する箇所に吊りボルトを支持、垂設するようにした任意の軒樋吊り金具によって固定され、所望の水勾配を維持する如く配されるようにする一方、当該軒樋を固定している任意の軒樋吊り金具であって、隣接する同軒樋吊り金具同士の中間辺りに位置する折版山部の軒先直近辺りからは、同所を支持部として山部表面添いに軒先をやや越えた辺りまで伸びた上、その直下であって、軒先の前方に突き出た状態となっている当該軒樋耳部に向けて折曲、下降するようにした支持部材の下端に耳部受部を形成して軒樋吊り金具となし、その耳部受部を当該軒樋耳部に嵌入、連結してなるものとしたことを特徴とする折版葺屋根の軒樋固定構造。
【請求項２】
折版葺屋根の軒先直近辺りから折版山部表面添いに軒先をやや越えた辺りまで伸びる上端と、該上端の伸びてきたがわを、その直下であって、軒先の前方に突き出た状態となっている当該軒樋耳部に向けて折曲、下降させ、伸縮可能な高さ調整手段を有するものとした支持部材と、該支持部材の下端に設けられ、軒樋の少なくとも一側の耳部を保持可能な内断面形状をなす軒樋吊り材とからなるものとした、請求項１記載の折版葺屋根の軒樋固定構造に使用する軒樋吊り金具。
【請求項３】
支持部材は、上部支持部材と、該上部支持部材の下部に高さ調整手段を介して伸縮可能に取り付けられる下部支持部材との組合せからなるものとした、請求項２記載の軒樋吊り金具。
【請求項４】
支持部材における高さ調整手段は、上部支持部材の下端がわか、該下端に重ね合わされる下部支持部材の上端がわかの何れか一方で、その一方の部材長手方向に穿設される長孔と、該長孔内所望箇所に挿入され、他方の部材に螺入される止ねじとの組合せによって調整されるものとするか、もしくは、上部支持部材の下端か、または下部支持部材の上端かの何れか一方に対し、他方の対応箇所を摺動可能に挿入するようにした抱持片と、該抱持片に設けられ、上部支持部材か、または下部支持部材かの何れか他方を係止する係止手段とによって調整されるものとするかの何れかの手段によるものとしたことを特徴とする請求項２または３何れか一記載の軒樋吊り金具。
【発明の詳細な説明】
【０００１】
【発明の属する技術分野】
本発明は、軒樋吊り金具に関するものであり、折版にて葺かれる屋根の軒先に軒樋を取り付けるのに、例えば積雪、風圧等の荷重によって軒樋が撓むのを防止して構造堅牢に支持するものである。
【０００２】
【従来の技術】
従来、例えば工場、劇場、体育館、駅等の公共施設等の建物、さらにはガレージ等の屋外施設は、屋根が山部と谷部とを有する折版を用いて葺かれた屋根がある。そして、屋根の水下側となる軒先には軒樋が取付けられる。
この軒樋を折版からなる屋根の軒先に取付けるための軒樋吊り金具には、従来、屋根の軒先の山部に吊りボルトを垂設し、該吊りボルトの下部に耳部受部を左右両側に設けた支持金具を、ボルトのねじ部にナットを螺合することによって略水平に固定し、該耳部受部にて軒樋の耳部を支持すると共に、該耳部の上面にばね板を弾性的に圧接することにより、軒樋の保持を図るものがあった（例えば特許文献１参照。）。
【０００３】
【特許文献１】
特開平６−１９３２２０号公報（第１−３頁、図１、図２、図３）
【０００４】
【発明が解決しようとする課題】
しかしながら、特許文献１に記載の上記従来の軒樋吊り金具は、山部と谷部とが交互に連続する折版の複数の山部に、数ピッチ、例えば８ピッチ毎に間隔をおいて吊りボルトを垂下して支持金具を装着することにより、軒樋を取付けるようにしているので、軒樋自体の荷重がかかったり、また積雪によったり、さらには風による風圧がかかって吊りボルトに荷重が集中すると、吊りボルトが定位置から変位し、折角軒先に取付けた軒樋は、吊りボルトにより支持されている相互間の中間部に撓みが生じて排水が停滞するため、軒樋の排水能力が低下することになる。
【０００５】
ところで、積雪量が多い地方において、折版屋根に積もった雪が屋根勾配に沿って滑落しきれずに軒先に集中して残る場合には、残存した積雪が夜間、外気が低下することによって凍結する。したがって、この凍結した積雪による荷重が吊りボルトに−層、顕著に集中することになるため、軒樋の前記撓み量はさらに過大になlって軒樋を損壊することになり、排水能力はさらに低下する。
また、夜間凍結した積雪が軒樋の水路を塞いで山盛りになってしまうので、屋根からの積雪の滑落能力も低下し、屋根の上部から滑り落ちる雪が再凍結し、さらに排水能力が低下するという悪循環を来す原因になっていた。
【０００６】
しかも、凍結した積雪の荷重を受けて軒樋毎吊りボルトが凍結するので、軒樋は大きく撓んだまま軒先から次第に遠退いた位置で凍結してしまう。このため、軒樋は元の取付位置には復元し難くなる。したがって、屋根に積もった雪からの融水は、軒樋には到らずに軒先から直接的に落下して軒樋による集水能力が低下したり、この融水が夜間に凍結して氷柱が生ずる原因になる等の不都合を生じていた。
【０００７】
また、特許文献１に記載の上記従来の軒樋吊り金具は、吊りボルトの下部のねじ部にナットを螺合することにより、支持金具を略水平に固定して軒樋を保持するものであるが、上流側から下流側へと隣接する吊りボルトは、排水のために水勾配をつけて軒樋を上流側から下流側へと傾斜して取付けなければならないので、吊りボルト毎にそのねじ部に対するナットの螺合度が相違し、軒樋に対する取付位置に高低差を生ずるから、軒樋の取付作業には多くの時間と労力がかかり、工事費が高価になっていた。
【０００８】
本発明は、上記従来の欠点を解決し、隣接する吊りボルトによって支持される相互間の中間部における積雪、風圧等による荷重を分散して軒樋の中間部での撓みを防止することにより、軒樋の損壊を生ぜずに全体的に構造堅牢に、しかも迅速かつ確実に軒樋の取付が行え、また軒先に溜まる積雪が夜間、凍結することによる軒先からの軒樋の変位を防止し、以て雨、雪の軒樋への集水を迅速かつ確実になして排水が効率的に行え、さらには構造が簡単で製作、保守・点検が容易になり、製作コスト、工事費が安価な軒樋吊り金具を提供することを目的とする。
【０００９】
【課題を解決するための手段】
図面に示すこの発明を代表する実施例からも明確に理解されるように、この発明の折版葺屋根の軒樋固定構造は、基本的に次のような構成から成り立っている。
即ち、山部と谷部とを交互に連続形成した折版で葺かれた屋根の軒先辺り裏面がわに、軒樋が、その溝断面の半分には及ばない範囲で片方の耳部がわを当該軒先の前方に突き出した状態で配設された上、同折版の所望数毎の山部であって、平面配置状においてそれら山部が同軒樋に交差する箇所に吊りボルトを支持、垂設するようにした任意の軒樋吊り金具によって固定され、所望の水勾配を維持する如く配されるようにする一方、当該軒樋を固定している任意の軒樋吊り金具であって、隣接する同軒樋吊り金具同士の中間辺りに位置する折版山部の軒先直近辺りからは、同所を支持部として山部表面添いに軒先をやや越えた辺りまで伸びた上、その直下であって、軒先の前方に突き出た状態となっている当該軒樋耳部に向けて折曲、下降するようにした支持部材の下端に耳部受部を形成して軒樋吊り金具となし、その耳部受部を当該軒樋耳部に嵌入、連結してなるものとした構成を要旨とする折版葺屋根の軒樋固定構造である。
【００１０】
そして、本発明には、上記したこの発明の基本的な構成からなる折版葺屋根の軒樋固定構造に関連し、該軒樋固定構造に使用する軒樋吊り金具が含まれており、その構成の要旨は、折版葺屋根の軒先直近辺りから折版山部表面添いに軒先をやや越えた辺りまで伸びる上端と、該上端の伸びてきたがわを、その直下であって、軒先の前方に突き出た状態となっている当該軒樋耳部に向けて折曲、下降させ、伸縮可能な高さ調整手段を有するものとした支持部材と、該支持部材の下端に設けられ、軒樋の少なくとも一側の耳部を保持可能な内断面形状をなす軒樋吊り材とからなるものとした軒樋吊り金具とするものである。
【００１１】
また、本発明の上記軒樋吊り金具には、その支持部材は、上部支持部材と、該上部支持部材の下部に高さ調整手段を介して伸縮可能に取り付けられる下部支持部材との組合せからなるものとした構成の軒樋吊り金具を含まれる。
【００１２】
さらにまた、同軒樋吊り金具の支持部材における高さ調整手段は、上部支持部材の下端がわか、該下端に重ね合わされる下部支持部材の上端がわかの何れか一方で、その一方の部材長手方向に穿設される長孔と、該長孔内所望箇所に挿入され、他方の部材に螺入される止ねじとの組合せによって調整されるものとするか、もしくは、上部支持部材の下端か、または下部支持部材の上端かの何れか一方に対し、他方の対応箇所を摺動可能に挿入するようにした抱持片と、該抱持片に設けられ、上部支持部材か、または下部支持部材かの何れか他方を係止する係止手段とによって調整されるものとするかの何れかの手段によるものとした構成からなる軒樋吊り金具が含まれている。
【００１３】
【実施の形態】
以下、図面に従い、本発明による折版葺屋根の軒樋固定構造、およびそれ用の軒樋吊り金具一実施形態の詳細を説明する。
図１は、本発明の軒樋吊り金具の一実施形態を示す拡大断面図、図２は、同じく取付状態を示す正面図、図３は、同じく本実施形態の軒樋吊り金具に併用する第１の軒樋吊り金具を示す拡大断面図である。
【００１４】
１は、山部１Ａと谷部１Bとが交互に連続して形成された折版であり、この折版１により、例えば工場、劇場、体育館、駅等の公共施設等の建物、さらにはガレージ等の屋外施設の屋根２が敷設される。
【００１５】
そして、図２、図３において、折版１の複数の山部１Ａの軒先に所望ピッチ、例えば８ピッチ毎に間隔Ｋを置いて吊りボルト３を垂設し、該吊りボルト３の下方のねじ部３ａにナット４ａ，４ｂを螺合することにより、支持金具５を略水平に固定して装着し、該支持金具５の左右両側に外側下方から上方に、さらに内側上方から下方にへと折曲して捲回形状をなす耳部受部５ａ，５ｂに、軒樋６の左右外側に形成した耳部６ａ・６ｂを係合して支持すると共に、該耳部６ａ，６ｂの上面に前記支持金具５の下面に重合させたばね板Ｓの左右の端部下面を弾性的に圧接してばね力によって抑えつけることにより、軒樋６を保持する構造の従来の軒樋吊り金具を第１の吊り金具として併用するものであり、この第１の吊り金具については同様の構成であり、しかも軒樋６を取付るための取付方法および作用については略同様である。
【００１６】
しかしながら、本実施形態の軒樋吊り金具は、前述のように折版１の所望の山部１Ａ，１Ａ・・・に配設されて取付けられる前記第１の吊金具の吊りボルト３，３・・・間の中間部に位置する折版１の所望の山部１Ａ，１Ａ・・・に配設され、この吊りボルト３，３・・・と共同して吊りボルト３，３・・・間の中間部において軒樋６を支持し、取付けるためのものである。
【００１７】
そして、本実施形態の軒樋吊り金具では、図１、図２に示すように、前記折版１の所望の山部１Ａ，１Ａ・・・に上端部７ａが取付けられて軒先Ｎに下向きに軒先Ｎの端面部に対して所望角度θ１をつけて配設されて取付けられて伸縮可能になる高さ調整手段８を有する支持部材７と、該支持部材７の下端部７ｂに設けられ、軒樋６の少なくとも−側（図では外側）の耳部６ａを保持可能に耳部６ａの外形の全部または−部に合致する内断面形状をなす軒樋吊り材９とを備えている。
また、支持部材７の折版１の山部１Ａに対する取付は、短寸の取付ボルト１０のねじ部１０ａにナット１１を螺合する等して取付ける。
【００１８】
前記支持部材７は、図示する実施形態では上部支持部材１２と該上部支持部材１２の下部に高さ調整手段８を介して伸縮可能に取付けられる下部支持部材１３との２部材を重合して１つに組み付けることによって形成される。
【００１９】
また、前記高さ調整手段８は、例えば図１に示すように、上部支持部材１２の下端１２ａまたは該下端１２ａに伸縮可能に重合される下部支持部材１３の上端１３ａの何れか一方に長手方向（図では上下方向）に設けられる長孔１４と、該長孔１４内に外側から螺入される止ねじ１５とによって形成される。そして、前記止ねじ１５を緩めた後に、長孔１４内において止ねじ１５を摺動させて上部支持部材１２に対して下部支持部材１３を伸縮可能に長さ１を調整してから、屋根２の軒先Ｎに軒樋６を取付けた時に、軒樋６が上流側（図２において右側）から下流側（図２において左側）へと所望角度の水勾配θをつけて傾斜して取付けられることにより、水勾配θに伴って排水が行われる。したがって、降雨量や積雪量が多い地域において軒樋６を取付ける場合には水勾配θが急傾斜になり、降雨量や積雪量が少ない地域において軒樋６を取付ける場合には水勾配θは緩傾斜になる。
【００２０】
また、高さ調整手段８は前述のほか、例えば図には示さないが、上部支持部材１２の下端１２ａまたは下部支持部材１３の上端１３ａの何れか一方に他方を摺動可能に挿入する抱持片と、該抱持片および上部支持部材１２または下部支持部材１３の何れか他方との対向面に設けられ、例えば突起と、この突起が係脱可能になる凹部とよりなる係止手段とによって形成されるものであってもよい。
【００２１】
本発明の一実施形態は、以上の構成からなり、例えば工場、劇場、体育館、駅等の公共施設等の建物、さらにはガレージ等の屋外施設の屋根２を敷設した山部１Ａと谷部１Ｂとを連続して有する折版１に軒樋６を取付るのには、図２、図３に示すように、折版１の山部１Ａと谷部１Ｂとの大きさによっても異なるが、複数の山部１Ａ，１Ａ・‥の軒先Ｎに所望ピッチ、例えば８ピッチ毎に間隔Ｋを置いて吊りボルト３を垂設し、該吊りボルト３の下方のねじ部３ａにナット４ａ，４ｂを螺合することにより、支持金具５を略水平に固定して装着する。次いで、該支持金具５の左右両側に外側下方から上方に、さらに内側上方から下方へと折曲される捲回形状をなす対向する耳部受部５ａ，５ｂに軒樋６の左右外側に形成した耳部６ａ，６ｂを係合して支持する。そして、該耳部６ａ，６ｂの上面に前記支持金具５の下面に重合させたばね板Ｓの左右の端部下面を弾性的に圧接することにより、ばね板Ｓのばね力によって軒樋６の耳部６ａ，６ｂを抑えつけ、軒樋６を水勾配θをつけて第１の軒樋吊り金具を用いて支持し、取付る点については、従来の軒樋吊り金具と同様の構成であり、同様の作用、取付方法である。
【００２２】
しかしながら、本実施形態の軒樋吊り金具では、前述のように第１の軒樋吊り金具のみを用いて軒樋６を支持するのとは異なり、第１の吊金具と併用して軒樋６を支持し、取付けるものである（図２参照）。
すなわち、本実施形態の軒樋吊り金具は、該第１の吊金具の吊りボルト３，３‥・間の中間部に位置する折版１の所望の山部１Ａ，１ａ‥・に、取付ボルト１０と、ナット１１とを用いて高さ調整手段８を有する支持部材７の上端７ａを取付けることにより、所望個数の支持部材７を、吊りボルト３，３‥・間において軒先Ｎに下向きに配設するようにして取り付ける。
【００２３】
この際、本実施形態では、図１に示すように、下部支持部材１３の上端１３ａに設けた長孔１４内に止めねじ１５を外側から螺入することにより、上部支持部材１２と下部支持部材１３との２部材を重合して１つに組み付けているので、この止ねじ１５を緩めることにより、長孔１４内において止ねじ１５を摺動させて上部支持部材１２に対して下部支持部材１３を摺動させ、屋根２の軒先Ｎに取付けられる軒樋６の所望角度の水勾配θに合わせて支持部材７を伸縮可能にして長さ１を調整し、軒樋６に対する支持部材７の上下方向の取付位置を選択する。
【００２４】
その後、軒樋６の水勾配θに合わせて軒先Ｎに下向きに配設される各支持部材７には、その下端７ｂに軒樋６の少なくとも一側の耳部６ａを保持可能に耳部６ａの外形の全部または−部に合致する内断面形状をなす軒樋吊り材９が設けられているので、この軒樋吊り材９に軒樋６の−側の耳部６ａを嵌入するという簡単な取り扱い操作により軒樋６を支持部材７を介して軒樋６に迅速かつ確実に保持する。
【００２５】
このように、本実施形態では、折版１の所望の山部１Ａ，１ａ・‥に配設されて軒樋６を支持している第１の吊金具と併用して該第１の吊金具の吊りボルト３，３‥・間の中間部に位置する折版１の所望の山部１Ａ，１ａ‥・に、所望個数の支持部材７を下向きに配設し、該支持部材７の下端７ｂに設けた軒樋吊り材９に軒樋６の一側の耳部６ａを嵌入することによって軒樋６は保持されるので、軒樋６自体の荷重がかかったり、また積雪、さらには風による風圧等が軒樋６にかかる場合に、本実施形態の支持部材７と軒樋吊り材９との支持により、軒樋６にかかる荷重が分散されるため、吊りボルト３，３・‥にて支持される軒樋６の中間部には撓みが生じない。
【００２６】
そして、例えば降雪量が多い地方において、積雪が屋根勾配に沿って滑落しきれずに軒先Ｎに集中して残る場合に、夜間に外気が低下して積雪が凍結しても、凍結した積雪による荷重が吊りボルト３，３・‥に集中するのを、本実施形態の支持部材７と軒樋吊り材９とが吊りボルト３，３・‥の中間部において支持することによって分散し、緩和できるので、軒樋６が撓むのを防止することができる。
したがって、軒樋６の水勾配θは所望角度に維持されるので、従来のように軒樋６の中間部が撓んで排水が停滞し、排水能力が低下することはなくなる。しかも、軒樋６の損壊はなくなり、屋根２に残存する積雪が凍結して軒樋６の水路を塞いで排水能力が低下したり、屋根２からの積雪の滑落能力が低下したり、さらには再凍結する等の悪循環の心配がなくなる。
【００２７】
また、凍結した積雪の荷重を受けて軒樋６毎吊りボルト３，３‥・が凍結する場合にも、該吊りボルト３，３‥・の間に配設される支持部材７と軒樋吊り材９との支持により、吊りボルト３，３‥・の中間部において軒樋６は大きく撓むのが防止されるので、軒樋６が軒先Ｎの直下ではなく遠退いた位置で凍結することがなくなり、軒樋６は、所望位置に水勾配θを確保して取り付られるため、屋根２からの融水は円滑かつ確実に軒樋６に落下して軒樋６による集水能力が低下するという不都合がなくなる。しかも、軒下Ｎに氷柱が生ずるのを防ぐ。
【００２８】
また、上記実施形態では、隣接する第１の軒樋吊り金具間の中間に支持部材７および軒樋吊り材９を配設することによって軒樋６を支持する構造を代表的に説明したが、第１の軒樋吊り金具を併用しなくても軒樋６を折版１の屋根２の軒先Ｎに多くの労力と時間を費やすことなく効率的に取付けることができる。
【００２９】
また、上記実施形態では、支持部材７の下端に軒樋６の一側の耳部６ａを保持する１つの耳部受部９ａを有する軒樋吊り材９によって軒樋６を片持にて支持するようにしているが、本発明は、これに限ることなく軒樋吊り材９の左右に耳部受部を設けることにより、軒樋６の左右の耳部６ａ，６ｂを嵌入して安定に軒樋６を保持する両持形式の軒樋吊り金具も本発明の適用範囲である。
【００３０】
【発明の効果】
以上のように、本発明の折版葺屋根の軒樋固定構造、およびそれ用の軒樋吊り金具は、山部と谷部とを連続して形成する折版が敷設された屋根の軒先に軒樋を取付ける軒樋吊り金具にして、前記折版の所望の山部に上端部が取付けられて軒先に下向きに配設されるとともに伸縮可能になる高さ調整手段を有する支持部材と、該支持部材の下端に設けられ、軒樋の少なくとも−側の耳部を保持可能な内断面形状をなす軒樋吊り材とを備えたので、隣接する吊りボルト相互間の中間部における積雪、風圧等による荷重を分散して軒樋の撓みを防止することにより、軒樋が損壊を生ぜずに全体的に構造堅牢に、しかも多くの時間と労力を要することなく軒樋の取付作業を迅速かつ確実に行うことができる。
そして、特に降雪量が多い地方において軒先に溜まる積雪が夜間、凍結することによる軒先からの軒樋の変位を確実に防止でき、以て雨、雪の軒樋への集水を迅速かつ確実になして排水が効率的に行える。
さらには、構造が簡単で製作、保守・点検が容易になり、量産可能なので製作コストも安価で工事費も廉価になる。
【００３１】
また、本発明の軒樋固定構造に用いる軒樋吊り金具は、その支持部材が、上部支持部材と該上部支持部材の下部に高さ調整手段を介して伸縮可能に取付けられる下部支持部材とによって形成されることを特徴とし、また、その高さ調整手段は、上部支持部材の下端または該下端に重合される下部支持部材の上端の何れか一方に長手方向に設けられる長孔と、該長孔内に螺入される止ねじとによって形成されるか、もしくは上部支持部材の下端または下部支持部材の上端の何れか−方に他方を摺動可能に挿入する抱持片と、該抱持片に設けられ、上部支持部材または下部支持部材の何れか他方を係止する係止手段とによって形成されることを特徴とするので、支持部材を高さ調整手段にて伸縮可能に調整することにより、屋根の軒先に取付けられる軒樋の所望角度の水勾配に合わせて軒樋を容易かつ確実に支持することができる。
【００３２】
さらにまた、本発明における軒樋吊り金具の支持部材および軒樋吊り材は、山部と谷部とが交互に連続して形成されて屋根に葺設される折版の複数の山部に所望ピッチ毎に垂設され、支持金具を下方部に装着した第１の吊金具の吊りボルト間の中間部に位置する所望の山部に配設するようにして軒樋を取付けることを特徴とするので、軒樋自体の荷重がかかったり、また積雪によったり、風による風圧が軒樋にかかる場合でも、本実施形態の支持部材と軒樋吊り材との支持により、軒樋にかかる荷重が分散されるため、吊りボルト相互間の軒樋の中間部には撓みが生ぜず、構造堅牢に軒樋を支持することができる。
【図面の簡単な説明】
【図１】    本発明の軒樋吊り金具の一実施形態を示す拡大断面図である。
【図２】    同じく取付け状態を示す正面図である。
【図３】    同じく本実施形態の軒樋吊り金具に併用する第１の軒樋吊り金具を示す拡大断面図である。
【符号の説明】
１   折版
１ａ  山部
１ｂ  谷部
２   屋根
３   吊りボルト
４ａ   ナット
４ｂ   ナット
５    支持金具
６    軒樋
６ａ   耳部
６ｂ   耳部
７    支持部材
８    高さ調整手段
９    軒樋吊り部材
９ａ   耳部受部
１２   上部支持部材
１３   下部支持部材
【図１】
0004157788.tif 000002
【図２】
0004157788.tif 000003
【図３】
0004157788.tif 000004